(57)【要約】【課題】  従来技術は設定温度は外気温度が高いほど低く設定されているので消費電力は増加する。また、室内温度と外気温度との温度差が大きくなり、室内空間への出入りをするとき温度が急変して不快に感じることがある。一方、照明制御は空調とは個別の制御である。そこで、ユーザサイドからより効果的な省電力性と快適性が得られる空調照明連動システムを提供する。【解決手段】  室内空間１の窓面６から室内に入る日射量を検知する検知手段７を設ける。前記検知手段７で検知した前記日射量によって室内空間の空気調和制御の設定温度を補正する空気調和制御手段１０を設ける。前記検知手段７で検知した前記日射量によって室内照明の明るさを変化させる室内照明制御手段１５を設ける。【選択図】    図１
2005037109.tif 000002
【特許請求の範囲】
【請求項１】
室内空間の窓面から室内に入る日射量を検知する検知手段を設け、前記検知手段で検知した前記日射量によって室内空間の空気調和制御の設定温度を補正する空気調和制御手段を設け、前記検知手段で検知した前記日射量によって室内照明の明るさを変化させる室内照明制御手段を設けたことを特徴とする空調照明連動制御システム。
【請求項２】
外気温度を検知する手段を設け、外気温度が高いほど室内空間の温度が高くなるように制御する空気調和制御手段とする請求項１記載の空調照明連動制御システム。
【請求項３】
室内空間の窓面から室内に入る日射量が所定レベル以上になると前記室内空間における窓際の照明器具を減光して節電制御を行い前記照明器具からの発熱を低減して冷房負荷の軽減をはかる室内照明制御手段とし、また前記日射量が大きい場合に空調温度が低くなるように制御する空気調和制御手段とする請求項１又は請求項２記載の空調照明連動制御システム。
【請求項４】
室内空間の窓面から室内に入る日射量を検知するセンサの取付方位によって該センサの出力値を可変する請求項１から請求項３のいずれか１項記載の空調照明連動制御システム。
【請求項５】
室内空間の窓面から室内に入る日射量を検知するセンサの出力値を該センサの取付方位、該センサの設置場所を示す経度および緯度のデータ、および今の季節を示すデータを参照して可変する請求項４記載の空調照明連動制御システム。
【発明の詳細な説明】
【技術分野】
【０００１】  本発明は、室内空間に設けられた空気調和制御の温度設定および照明装置の調光制御の連動制御システムに関する。
【背景技術】
【０００２】  従来の空気調和装置や照明制御装置はそれぞれ単独に制御を行っている。空気調和装置では、特開平１０−２７８５３９号公報に記載のように、外気温度に関連付けられた自動設定温度を、室内に在室しているユーザの設定温度変更操作の情報を学習させて修正するもがある。自動設定温度は実施例では外気温度が高いほど低く設定されている。
照明制御装置の場合、日射量が多いときは室内窓際照明器具の調光度を低く（暗く）設定し、日射量が低い場合は高く設定する制御を行っている。
【特許文献１】    特開平１０−２７８５３９号公報
【発明の開示】
【発明が解決しようとする課題】
【０００３】  上記の特開平１０−２７８５３９号公報記載の従来技術は、特定ユーザの快適性を実現できるが、スーパーマーケットやコンビニエンスストアなどの不特定多数の快適性については考慮されていない。また設定温度は外気温度が高いほど低く設定されているので消費電力は増加する。
さらに上記従来技術は外気温度が高いほど室内の設定温度を低く設定しているので室内温度と外気温度との温度差が大きくなり、室内空間への出入りをするとき温度が急変して不快に感じることがある。また照明制御においては個別に制御を行っているため、ユーザサイドからより効果的な省電力性と快適性が得られる空調照明連動システムを提供することを目的とする。
【課題を解決するための手段】
【０００４】  上記課題を解決するために、日射量（輻射熱）を検出するセンサを共通化して空調及び照明器具をトータル的に制御する。空気調和機器は、外気温度が高いほど室内温度が高くなるような設定温度パターンを備え、さらに日照量が多い場合は暖かく感じるので、日照量を検知して日照量が多い場合は空気調和制御の設定温度を下げるとともに、同一検知センサの信号を受けて照明器具の調光度を連動して制御をする。
【発明の効果】
【０００５】  本発明によれば、室外温度が高いほど室内温度が高くなるように空気調和装置を制御することによって、室外から室内に入ったときや室内から室外へ出たときの温度変化の急変が緩和でき快適性が得られるとともに空気調和装置の省電力化が図れる。また、同一センサで照明装置を連動して制御する事により総合的な省電力化が図れる。
【発明を実施するための最良の形態】
【０００６】  本発明の最良の実施の形態について、図を用いて説明する。図１は、本発明の一実施形態を示している。図１は店舗内部を示した室内空間１で、左側壁には大きな窓６を備えている。室内空間１には天井窓側に照明装置１１が、中央及び奥側に照明装置１５が設置され、フロアには商品棚１２，１３や冷蔵ショーケース１４などが設置されている。また空気調和装置１０の室内機２が天井付近に設置されている。室内機２は冷媒配管４によって空気調和装置１０の室外機３と接続されている。室内空間１には照明および空気調和設定制御の制御装置５が設置されており、空気調和装置１０及び照明装置１１，１５をコントロールしている。室内機２の室内空気吸い込み口付近には室内温度センサ２Ａが取り付けられており室内温度を検知し、設定温度になるように制御されている。室外機３には室外温度を検知する室外温度センサ３Ａと切り換えスイッチ３Ｂが取り付けられている。また天井付近には窓６の日射量（輻射熱量）が検知できる昼光センサ７が取り付けられている。【０００７】  次に空気調和装置１０の設定温度の一実施例を図２および図３で説明する。図２は冷房設定温度を示したものである。パターン１の設定は室外温度が２８℃未満で設定温度を２６℃、室外温度が２８℃以上かつ３２℃未満で設定温度を２７℃、室外温度が３２℃以上で設定温度を２８℃と、外気温度が高いほど設定温度を高くしている。図３は暖房設定温度を示したものである。パターン１の設定は室外温度が７℃未満で設定温度を１９℃、室外温度が７℃以上かつ１５℃未満で設定温度を２１℃、室外温度が１５℃以上で設定温度を２２℃と、外気温度が高いほど設定温度を高くしている。【０００８】  図２のパターン２は設定温度パターン１に対して、１℃下げたものである。図３のパターン２は設定温度パターン１に対して、１℃下げたものである。設定温度パターンの選択は図４に示すように室外機３に設けられた切り換えスイッチ３Ｂによって行う。冷房および暖房とも設定温度パターン１の場合は切り換えスイッチ３ＢのＡスイッチおよびＢスイッチをオンにする。冷房設定温度をパターン１で暖房設定温度をパターン２の場合はＡスイッチをオン、Ｂスイッチをオフにする。冷房設定温度をパターン２で暖房設定温度をパターン１の場合はＡスイッチをオフ、Ｂスイッチをオンにする。冷房および暖房とも設定温度パターン２の場合はＡスイッチおよびＢスイッチをオフにする。【０００９】  図２および図３に示す設定温度パターンは図１に示す窓６の日射量（輻射熱量）を検知する昼光センサ７によって日射があるかないかを判断して切り換えられる。冷房設定の設定温度パターン１は日射なしの設定温度と同様である。設定温度パターンの日射ありは日射なしの設定温度パターン１に対して、１℃下げたものである（パターン２）。
図３の暖房設定も同様に設定温度パターンの日射なしは前述のパターン１と同様である。設定温度パターンの日射ありは日射なしの設定温度パターン１に対して、１℃下げたものである（パターン２）。冷房室内温度を２５℃で暖房室内温度を２２℃で運転した場合の空気調和機の年間消費電力量と図２および図３の日射を考慮した設定温度パターンで運転した場合の空気調和機の年間消費電力量を計算比較すると冷房室内温度を２５℃で暖房室内温度を２２℃で運転した場合に比べて、１６．０％の省電力効果が得られる。【００１０】  照明装置１１は図６に示す通り、日射量の検知レベル１，０００ＬＸの閾値に対して１，０００ＬＸ以上の場合、窓６から日射が多く室内６に入るため窓側エリアが明るくなる分、照明装置１１の明るさを下げて（実施例では２５％の調光度）省電力をはかり、調光度を下げることにより照明装置器具１１からの発熱量も低下することにより冷房負荷の負担を軽くする効果もある。昼光利用による消費電力低減効果は制御をしない場合に比べ約２０％の省電力効果が得られる。
制御装置５は空気調和装置１０及び照明装置１１，１５に共用のものであり、それらおよび昼光センサ７とアクセスする。制御装置５はプログラム手段をもつ。制御装置５は日射量を検知する手段となる昼光センサ７の出力に応動して空気調和装置１０及び照明装置１１，１５を前記のごとくに制御する。【００１１】  太陽の入射光は昼光センサ７の取付ける方位によって窓６から室内１へ入る量が変化するため、図５に示す通り方位によって設定の閾値を可変できる機能を持たせる。また、入射光は太陽高度によっても前記と同様に室内１へ入る量が変化するため、太陽高度の変化を、前記昼光センサの方位とともに、年間タイマー、本制御システムを取付る設置地域（経度・緯度）の要因を制御装置５で設定してこれらの要素で前記設定の閾値を可変して制御することにより時々刻々に変化する日射量に的確に対応する事が可能となる。この空気調和装置と照明装置を連動して制御する事により、大幅な省電力効果が得られる。
前記方位のデータは昼光センサ７から制御装置５に配信される。年間タイマー、現在地を示す経度・緯度のデータは制御装置５が保有する。
【図面の簡単な説明】
【００１２】
【図１】本発明の実施例を示す室内空間の配置図
【図２】本発明の一実施例を示す冷房設定温度パターン図
【図３】本発明の一実施例を示す暖房設定温度パターン図
【図４】本発明の設定温度パターン切り換えの切り換えスイッチ説明図
【図５】本発明の昼光センサ説明図
【図６】本発明の照明制御の説明図
【符号の説明】
１…室内空間、２…室内機、２Ａ…室内温度センサ、３…室外機、３Ａ…室外温度センサ、３Ｂ…切り換えスイッチ、４…冷媒配管、５…制御装置、６…窓、７…昼光センサ、１０…空気調和装置、１１…窓際照明装置、１２、１３…商品棚、１４…冷蔵ショーケース、１５…照明装置
【図１】
2005037109.tif 000003
【図２】
2005037109.tif 000004
【図３】
2005037109.tif 000005
【図４】
2005037109.tif 000006
【図５】
2005037109.tif 000007
【図６】
2005037109.tif 000008